(57)【要約】【課題】組み立て性に優れ、かつ、強度面で有利な扱胴を備えたコンバインが要望されている。【解決手段】胴体３０は、胴体３０が前後に分割されると共に一体に回転する前側胴体部３２、後側胴体部３３及び中間胴体部３４を有している。扱胴の回転軸心周りにおける前側胴体部３２、後側胴体部３３及び中間胴体部３４の位置を合わせる前側の連結部位置合わせ部５３Ｆ、後側の連結部位置合わせ部５３Ｂ及び胴体部間位置合わせ部５６が備えられている。【選択図】図１１
2019097398.tif 000002
【特許請求の範囲】
【請求項１】
刈取穀稈を扱胴によって脱穀処理する脱穀装置が備えられたコンバインであって、
前記扱胴は、前後方向に延びる扱胴軸と、前記扱胴軸に支持されると共に複数の扱歯が外周部に取り付けられる胴体と、を有し、
前記胴体は、前記胴体が前後に分割されると共に一体に回転する複数の胴体部を有し、
前記扱胴の回転軸心周りにおける前記複数の胴体部の位置を合わせる位置合わせ部が備えられているコンバイン。
【請求項２】
前後に隣り合う前記胴体部同士を連結する連結部材が備えられている請求項１に記載のコンバイン。
【請求項３】
前記位置合わせ部として、前記胴体部と前記連結部材とに亘って設けられると共に、前記回転軸心周りにおける前記連結部材に対する前記胴体部の位置を合わせる連結部材位置合わせ部が備えられている請求項２に記載のコンバイン。
【請求項４】
前記連結部材は、前記胴体の内周面に沿って設けられ、
前記連結部材位置合わせ部は、前記連結部材から前記胴体の径方向の外側に向けて突出する状態で前記回転軸心周りに間隔をあけて設けられた複数の突起と、前記胴体部の前後端部のうち前記連結部材側の端部に設けられると共に前記突起同士の間に入り込む入り込み部と、を有している請求項３に記載のコンバイン。
【請求項５】
前記回転軸心周りにおける前記突起同士の間隔及び前記入り込み部の幅は、前記入り込み部が前記突起同士の間に嵌合するように設定されている請求項４に記載のコンバイン。
【請求項６】
前記胴体部と前記連結部材とに亘って、前記胴体部と前記連結部材との正しい位置関係を示す合いマークが設けられている請求項２から５の何れか一項に記載のコンバイン。
【請求項７】
前記胴体部と前記連結部材とに亘って、前記胴体部と前記連結部材との正しい位置関係を示す合いマークが設けられ、
前記合いマークのうち前記胴体部側のマークは、前記胴体部のうち前記入り込み部に設けられ、
前記合いマークのうち前記連結部材側のマークは、前記連結部材のうち前記突起同士の間の部分に設けられている請求項４又は５に記載のコンバイン。
【請求項８】
前記胴体は、三つの前記胴体部に前後に分割され、
前記連結部材は、前後に連続する三つの前記胴体部において、前側の前記胴体部と真ん中の前記胴体部との間と、後側の前記胴体部と前記真ん中の胴体部との間とに、夫々設けられ、
前記回転軸心周りにおいて、前側の前記連結部材における前記合いマークを構成するマークと、後側の前記連結部材における前記合いマークを構成するマークとが位置合わせされることにより、前記前側の連結部材と前記後側の連結部材とが位置合わせされるように構成されている請求項６又は７に記載のコンバイン。
【請求項９】
前記位置合わせ部として、前後に隣り合う前記胴体部同士に亘って設けられると共に、前記回転軸心周りにおける前後一方の前記胴体部に対する前後他方の前記胴体部の位置を合わせる胴体部間位置合わせ部が備えられている請求項１から８の何れか一項に記載のコンバイン。
【請求項１０】
前記胴体部間位置合わせ部は、前記前後一方の胴体部及び前記前後他方の胴体部のうち何れか一方に設けられた凹部と、前記前後一方の胴体部及び前記前後他方の胴体部のうち何れか他方に設けられると共に前記凹部に入り込む凸部と、を有している請求項９に記載のコンバイン。
【請求項１１】
前記位置合わせ部として、前後に隣り合う前記胴体部同士に亘って設けられると共に、前記回転軸心周りにおける前後一方の前記胴体部に対する前後他方の前記胴体部の位置を合わせる胴体部間位置合わせ部が備えられ、
前記胴体部間位置合わせ部は、前記前後一方の胴体部及び前記前後他方の胴体部のうち何れか一方に設けられた凹部と、前記前後一方の胴体部及び前記前後他方の胴体部のうち何れか他方に設けられると共に前記凹部に入り込む凸部と、を有し、
前記凹部は、前記入り込み部に設けられている請求項４、５、７の何れか一項に記載のコンバイン。
【請求項１２】
前記胴体部は、ロール成形された板材によって構成され、
前記胴体部のロール継ぎ目は、前記位置合わせ部として機能し、
前記回転軸心周りにおいて、前記複数の胴体部のロール継ぎ目が位置合わせされることにより、前記複数の胴体部が位置合わせされるように構成されている請求項１から１１の何れか一項に記載のコンバイン。
【発明の詳細な説明】
【技術分野】
【０００１】
本発明は、刈取穀稈を扱胴によって脱穀処理する脱穀装置が備えられたコンバインに関する。
【背景技術】
【０００２】
上記のようなコンバインとして、例えば、特許文献１に記載のコンバインが既に知られている。特許文献１に記載のコンバインには、刈取穀稈を扱胴によって脱穀処理する脱穀装置（文献では「脱穀機」）が備えられている。扱胴は、機体前後方向に延びる扱胴軸（文献では「支軸」）と、扱胴軸に支持されると共に複数の扱歯が外周部に取り付けられる胴体（文献では「扱胴ドラム」）と、を有している。胴体は、胴体の前後全長に亘る単一の胴体部によって構成されている。
【先行技術文献】
【特許文献】
【０００３】
【特許文献１】特開２０１０−０６８７５２号公報
【発明の概要】
【発明が解決しようとする課題】
【０００４】
特許文献１に記載のコンバインでは、扱胴の組み立て時に、胴体全体を一体的に取り扱わなければならず、労力を要する。また、胴体部の前後長さが長いため、強度面で不利である。
【０００５】
上記状況に鑑み、組み立て性に優れ、かつ、強度面で有利な扱胴を備えたコンバインが要望されている。
【課題を解決するための手段】
【０００６】
本発明の特徴は、
刈取穀稈を扱胴によって脱穀処理する脱穀装置が備えられたコンバインであって、
前記扱胴は、前後方向に延びる扱胴軸と、前記扱胴軸に支持されると共に複数の扱歯が外周部に取り付けられる胴体と、を有し、
前記胴体は、前記胴体が前後に分割されると共に一体に回転する複数の胴体部を有し、
前記扱胴の回転軸心周りにおける前記複数の胴体部の位置を合わせる位置合わせ部が備えられていることにある。
【０００７】
本特徴構成によれば、扱胴の組み立て時に、胴体を複数の胴体部に分けて取り扱うことにより、胴体全体を一体的に取り扱うよりも労力が少なくなる。その際、位置合わせ部によって、回転軸心周りにおける複数の胴体部の位置を合わせることにより、複数の胴体部が回転軸心周りで位置ズレすることなく、複数の胴体部の組み付けを容易に行うことができる。また、各胴体部の前後長さが短くなるため、強度面で有利である。
【０００８】
すなわち、本特徴構成によれば、組み立て性に優れ、かつ、強度面で有利な扱胴を備えたコンバインを実現することができる。
【０００９】
さらに、本発明において、
前後に隣り合う前記胴体部同士を連結する連結部材が備えられていると好適である。
【００１０】
本特徴構成によれば、前後に隣り合う胴体部同士を連結部材によって連結することにより、前後に隣り合う胴体部同士を重ね合わせる必要がなく、前側の胴体部の外周面と後側の胴体部の外周面とが面一となるように、前後に隣り合う胴体部同士を容易に連結することができる。
【００１１】
さらに、本発明において、
前記位置合わせ部として、前記胴体部と前記連結部材とに亘って設けられると共に、前記回転軸心周りにおける前記連結部材に対する前記胴体部の位置を合わせる連結部材位置合わせ部が備えられていると好適である。
【００１２】
本特徴構成によれば、連結部材位置合わせ部によって、回転軸心周りにおける連結部材に対する胴体部の位置を合わせることにより、胴体部が連結部材に対して回転軸心方向で位置ズレすることなく、連結部材による前後に隣り合う胴体部同士の連結を容易に行うことができる。
【００１３】
さらに、本発明において、
前記連結部材は、前記胴体の内周面に沿って設けられ、
前記連結部材位置合わせ部は、前記連結部材から前記胴体の径方向の外側に向けて突出する状態で前記回転軸心周りに間隔をあけて設けられた複数の突起と、前記胴体部の前後端部のうち前記連結部材側の端部に設けられると共に前記突起同士の間に入り込む入り込み部と、を有していると好適である。
【００１４】
本特徴構成によれば、入り込み部が突起同士の間に入り込んで、回転軸心周りにおいて、入り込み部が突起に当接することにより、胴体部が連結部材に対して回転軸心周りで回転するのが規制されることになる。このように、入り込み部を突起同士の間に入り込ませるだけで、回転軸心周りにおける連結部材に対する胴体部の位置合わせを容易に行うことができる。
【００１５】
さらに、本発明において、
前記回転軸心周りにおける前記突起同士の間隔及び前記入り込み部の幅は、前記入り込み部が前記突起同士の間に嵌合するように設定されていると好適である。
【００１６】
本特徴構成によれば、入り込み部が突起同士の間に嵌合することにより、胴体部が連結部材に対して回転軸心周りで回転することなく、回転軸心周りにおける連結部材に対する胴体部の位置合わせを正確に行うことができる。
【００１７】
さらに、本発明において、
前記胴体部と前記連結部材とに亘って、前記胴体部と前記連結部材との正しい位置関係を示す合いマークが設けられていると好適である。
【００１８】
本特徴構成によれば、合いマークによって胴体部と連結部材との正しい組み合わせが明確になり、連結部材に対して誤った胴体部が取り付けられること（誤組み）を防止することができる。
【００１９】
さらに、本発明において、
前記胴体部と前記連結部材とに亘って、前記胴体部と前記連結部材との正しい位置関係を示す合いマークが設けられ、
前記合いマークのうち前記胴体部側のマークは、前記胴体部のうち前記入り込み部に設けられ、
前記合いマークのうち前記連結部材側のマークは、前記連結部材のうち前記突起同士の間の部分に設けられていると好適である。
【００２０】
本特徴構成によれば、合いマークによって胴体部と連結部材との正しい組み合わせが明確になり、連結部材に対して誤った胴体部が取り付けられること（誤組み）を防止することができる。しかも、合いマークが突起及び入り込み部の近くに位置しているため、入り込み部を突起同士の間に入り込ませる際に、合いマークが目に入り易く、胴体部と連結部材との正しい組み合わせを確認しながら、回転軸心周りにおける連結部材に対する胴体部の位置合わせを行うことができる。
【００２１】
さらに、本発明において、
前記胴体は、三つの前記胴体部に前後に分割され、
前記連結部材は、前後に連続する三つの前記胴体部において、前側の前記胴体部と真ん中の前記胴体部との間と、後側の前記胴体部と前記真ん中の胴体部との間とに、夫々設けられ、
前記回転軸心周りにおいて、前側の前記連結部材における前記合いマークを構成するマークと、後側の前記連結部材における前記合いマークを構成するマークとが位置合わせされることにより、前記前側の連結部材と前記後側の連結部材とが位置合わせされるように構成されていると好適である。
【００２２】
本特徴構成によれば、合いマークによって回転軸心周りにおける前側の連結部材と後側の連結部材との位置合わせを容易に行うことができる。
【００２３】
さらに、本発明において、
前記位置合わせ部として、前後に隣り合う前記胴体部同士に亘って設けられると共に、前記回転軸心周りにおける前後一方の前記胴体部に対する前後他方の前記胴体部の位置を合わせる胴体部間位置合わせ部が備えられていると好適である。
【００２４】
本特徴構成によれば、胴体部間位置合わせ部によって、回転軸心周りにおける前後一方の胴体部に対する前後他方の胴体部の位置を合わせることにより、前後他方の前記胴体部が前後一方の前記胴体部に対して回転軸心周りで位置ズレすることなく、前後一方の胴体部と前後他方の胴体部との組み付けを容易に行うことができる。
【００２５】
さらに、本発明において、
前記胴体部間位置合わせ部は、前記前後一方の胴体部及び前記前後他方の胴体部のうち何れか一方に設けられた凹部と、前記前後一方の胴体部及び前記前後他方の胴体部のうち何れか他方に設けられると共に前記凹部に入り込む凸部と、を有していると好適である。
【００２６】
本特徴構成によれば、凸部を凹部に入り込ませるだけで、回転軸心周りにおける前後一方の胴体部に対する前後他方の胴体部の位置合わせを容易に行うことができる。
【００２７】
さらに、本発明において、
前記位置合わせ部として、前後に隣り合う前記胴体部同士に亘って設けられると共に、前記回転軸心周りにおける前後一方の前記胴体部に対する前後他方の前記胴体部の位置を合わせる胴体部間位置合わせ部が備えられ、
前記胴体部間位置合わせ部は、前記前後一方の胴体部及び前記前後他方の胴体部のうち何れか一方に設けられた凹部と、前記前後一方の胴体部及び前記前後他方の胴体部のうち何れか他方に設けられると共に前記凹部に入り込む凸部と、を有し、
前記凹部は、前記入り込み部に設けられていると好適である。
【００２８】
本特徴構成によれば、胴体部間位置合わせ部によって、回転軸心周りにおける前後一方の胴体部に対する前後他方の胴体部の位置を合わせることにより、前後他方の前記胴体部が前後一方の前記胴体部に対して回転軸心周りで位置ズレすることなく、前後一方の胴体部と前後他方の胴体部との組み付けを容易に行うことができる。また、凸部を凹部に入り込ませるだけで、回転軸心周りにおける前後一方の胴体部に対する前後他方の胴体部の位置合わせを容易に行うことができる。しかも、凹部が入り込み部に設けられていることにより、連結部材位置合わせ部による位置合わせと胴体部間位置合わせ部による位置合わせとが、回転軸心周りの略同じ位置で行われることになる。これにより、各位置合わせ作業に応じて、例えば、胴体を回転させたり、作業位置を変えたりする必要がなく、これらの位置合わせ作業を容易に行うことができる。
【００２９】
さらに、本発明において、
前記胴体部は、ロール成形された板材によって構成され、
前記胴体部のロール継ぎ目は、前記位置合わせ部として機能し、
前記回転軸心周りにおいて、前記複数の胴体部のロール継ぎ目が位置合わせされることにより、前記複数の胴体部が位置合わせされるように構成されていると好適である。
【００３０】
本特徴構成によれば、胴体部のロール継ぎ目を利用して、回転軸心周りにおける複数の胴体部の位置を合わせることができる。
【図面の簡単な説明】
【００３１】
【図１】自脱型コンバインを示す左側面図である。
【図２】自脱型コンバインを示す平面図である。
【図３】脱穀装置を示す左側面断面図である。
【図４】扱胴を示す左側面断面図である。
【図５】扱胴を示す分解斜視図である。
【図６】前側胴体部及び後側胴体部と中間胴体部とが連結された状態を示す図である。
【図７】図４におけるＶＩＩ−ＶＩＩ断面図である。
【図８】連結部材を示す分解斜視図である。
【図９】連結部材を示す背面図である。
【図１０】図６におけるＸ−Ｘ断面図である。
【図１１】胴体を示す分解展開図である。
【図１２】後側胴体部取り付け工程を示す図である。
【図１３】前側胴体部取り付け工程を示す図である。
【図１４】中間胴体部取り付け工程を示す図である。
【図１５】扱歯取り付け工程を示す図である。
【図１６】扱歯の基部が差し込まれる孔と連結部材との位置関係を示す展開図である。
【図１７】別実施形態に係る中間胴体部取り付け工程を示す図である。
【図１８】第一の別実施形態に係る連結部位置合わせ部を示す図である。
【図１９】第二の別実施形態に係る連結部位置合わせ部を示す図である。
【発明を実施するための形態】
【００３２】
本発明を実施するための形態について、図面に基づき説明する。
【００３３】
〔コンバインの全体構成〕
図１及び図２には、自脱型コンバインを示している。本コンバインは、機体フレーム１と、機体フレーム１を支持する走行装置２と、を備えている。機体の前部における右側には、運転キャビン３が設けられている。運転キャビン３は、運転者が搭乗する運転部４と、運転部４を覆うキャビン５と、を備えている。運転部４の下方には、エンジン（図示省略）が設けられている。
【００３４】
運転キャビン３の前方には、植立穀稈を刈り取る刈取部６が設けられている。運転キャビン３の後方には、穀粒を貯留する穀粒貯留タンク７が設けられている。穀粒貯留タンク７内の穀粒を排出する穀粒排出装置８が設けられている。機体の左側部には、刈取穀稈を挟持搬送するフィードチェーン９が設けられている。穀粒貯留タンク７の左隣には、脱穀装置１０が設けられている。脱穀装置１０は、フィードチェーン９によって搬送される刈取穀稈を扱胴１１によって脱穀処理する。脱穀装置１０の後側には、排藁搬送装置１２が連設されている。排藁搬送装置１２は、フィードチェーン９から脱穀処理後の排藁を受け取って後方へ挟持搬送する。
【００３５】
〔刈取部〕
刈取部６は、複数刈り仕様（例えば、六条刈り仕様）に構成されている。刈取部６は、複数（例えば、七個）の分草具１３と、複数（例えば、六個）の引起装置１４と、切断装置１５と、搬送装置１６と、を備えている。分草具１３は、圃場の植立穀稈を分草する。引起装置１４は、分草された植立穀稈を引き起こす。切断装置１５は、引き起こされた植立穀稈を切断する。搬送装置１６は、刈取穀稈を脱穀装置１０に向けて後方へ搬送する。
【００３６】
〔脱穀装置〕
図３に示すように、脱穀装置１０の上部には、扱室１７が形成されている。扱室１７には、扱胴１１が設けられている。扱胴１１は、機体前後方向に延びる回転軸心Ｙ１周りで回転可能である。扱胴１１の下方には、受網１８が設けられている。扱室１７の後方には、塵埃を外部に排出する排塵ファン１９が設けられている。
【００３７】
脱穀装置１０の下部には、選別対象物を揺動選別する揺動選別装置２０、揺動選別装置２０に選別風を送風する唐箕２１、一番物の穀粒（単粒化穀粒等）を回収する一番回収部２２、二番物の穀粒（枝梗付き穀粒等）を回収する二番回収部２３等が設けられている。
【００３８】
一番回収部２２には、一番物の穀粒を右方へ搬送する一番スクリュ２４が設けられている。一番スクリュ２４の右端部には、一番物の穀粒を穀粒貯留タンク７に揚穀搬送する揚穀装置２５が連動連結されている。
【００３９】
二番回収部２３には、二番物の穀粒を右方へ搬送する二番スクリュ２６が設けられている。二番スクリュ２６の右端部には、二番物の穀粒を揺動選別装置２０に還元する二番還元装置２７が連動連結されている。
【００４０】
〔扱胴〕
図３から図５に示すように、扱胴１１は、機体前後方向に延びる扱胴軸２８と、扱胴軸２８に支持されると共に複数の扱歯２９が外周部に取り付けられる略円筒形状の胴体３０と、を有している。扱胴１１は、機体前後方向に延びる回転軸心Ｙ１周りで回転可能である。扱胴１１は、扱胴軸２８を介して扱室１７における前壁３１Ｆ及び後壁３１Ｂに支持されている。胴体３０は、胴体３０が前後に分割（例えば、三分割）された複数（例えば、三つ）の胴体部を有している。胴体３０は、前記胴体部として、前側に位置する前側胴体部３２と、後側に位置する後側胴体部３３と、前側胴体部３２と後側胴体部３３との間に位置する中間胴体部３４と、を有している。前側胴体部３２、後側胴体部３３及び中間胴体部３４は、これらが一体に回転するように、単一の扱胴軸２８に支持されている。前側胴体部３２の前後長さＬ１、後側胴体部３３の前後長さＬ２及び中間胴体部３４の前後長さＬ３は、略等しい。すなわち、前側胴体部３２、後側胴体部３３及び中間胴体部３４は、前後方向の長さが略等しい。
【００４１】
扱胴軸２８は、前ベアリング３５を介して前壁３１Ｆに回転可能に支持されていると共に、後ベアリング３６を介して後壁３１Ｂに回転可能に支持されている。扱胴軸２８のうち前壁３１Ｆから前方に突出する部分には、前記エンジンからの駆動力が入力される入力プーリ３７が設けられている。
【００４２】
〔前側胴体部〕
前側胴体部３２は、略円筒形状の板材（ロール成形された板材）によって構成されている。前側胴体部３２には、扱歯２９の基部（ボルト２９ａ）が差し込まれる孔３２ａが形成されている。前側胴体部３２の前端開口縁部には、前端開口を塞ぐ前板材３８がボルト固定されている。前板材３８の後面（胴体３０の内部側の面）には、前側ボス３９がボルト４０によって固定されている。前側ボス３９は、扱胴軸２８にボルト４１によって固定されている。前板材３８は、前側ボス３９を介して扱胴軸２８に扱胴軸２８と一定回転可能に支持されている。
【００４３】
〔後側胴体部〕
後側胴体部３３は、略円筒形状の板材（ロール成形された板材）によって構成されている。後側胴体部３３には、扱歯２９の基部（ボルト２９ａ）が差し込まれる孔３３ａが形成されている。後側胴体部３３の後端開口縁部には、後端開口を塞ぐ後板材４２がボルト固定されている。後板材４２の前面（胴体３０の内部側の面）には、後側ボス４３がボルト４４によって固定されている。後側ボス４３は、扱胴軸２８にボルト４５によって固定されている。後板材４２は、後側ボス４３を介して扱胴軸２８に扱胴軸２８と一体回転可能に支持されている。
【００４４】
〔中間胴体部〕
中間胴体部３４は、中間胴体部３４が胴体３０の周方向に分割（例えば、二分割）された複数（例えば、二つ）の中間胴体部構成部材４６を有している。中間胴体部３４には、扱歯２９の基部（ボルト２９ａ）が差し込まれる孔３４ａが形成されている。中間胴体部構成部材４６は、略半円筒形状の板材（ロール成形された板材）によって構成されている。中間胴体部３４は、胴体３０の周方向に二分割された半割り構造である。二つの中間胴体部構成部材４６は、同一の部材によって構成され、かつ、扱歯２９の配列が同一である（図１６参照）。各中間胴体部構成部材４６は、前側胴体部３２及び後側胴体部３３に対して着脱可能である。中間胴体部構成部材４６のうち胴体３０の周方向における一方側の縁部には、他方の中間胴体部構成部材４６と連結される連結部４６ａが設けられている。連結部４６ａは、他方の中間胴体部構成部材４６に内周側から当て付けられた状態でボルト固定されている。
【００４５】
〔連結部材〕
図４から図７に示すように、胴体３０の内部には、前側胴体部３２と中間胴体部３４とを連結し、かつ、後側胴体部３３と中間胴体部３４とを連結する連結部材４７が設けられている。連結部材４７は、前側の連結部４８（本発明に係る「連結部材」に相当）と、後側の連結部４８と、複数の前後向き部５５と、を有している。連結部４８は、前側胴体部３２と中間胴体部３４との間と、後側胴体部３３と中間胴体部３４との間とに、夫々設けられている。前側の連結部４８及び後側の連結部４８は、同一の部材によって構成されている。
【００４６】
前側の連結部４８は、胴体３０の内部における前側胴体部３２と中間胴体部３４との境界部において、前側胴体部３２の内周面と中間胴体部３４の内周面とに亘って設けられている。前側の連結部４８は、前側胴体部３２と中間胴体部３４とを連結し、かつ、胴体３０の周方向で隣り合う中間胴体部構成部材４６の前端部同士を連結している。前側の連結部４８は、前側胴体部３２に着脱可能にボルト４９Ａによって固定され、かつ、中間胴体部３４（中間胴体部構成部材４６）に着脱可能にボルト４９Ｂによって固定されている。
【００４７】
後側の連結部４８は、胴体３０の内部における後側胴体部３３と中間胴体部３４との境界部において、後側胴体部３３の内周面と中間胴体部３４の内周面とに亘って設けられている。後側の連結部４８は、後側胴体部３３と中間胴体部３４とを連結し、かつ、胴体３０の周方向で隣り合う中間胴体部構成部材４６の後端部同士を連結している。後側の連結部４８は、後側胴体部３３に着脱可能にボルト４９Ａによって固定され、かつ、中間胴体部３４（中間胴体部構成部材４６）に着脱可能にボルト４９Ｂによって固定されている。
【００４８】
ボルト４９Ａ、４９Ｂは、ボルト頭部に六角孔が形成されたボルトである。前側胴体部３２及び後側胴体部３３の固定には、ボルト頭部の摩耗を低減するべく、ボルト頭部の高さが低いボルト４９Ａを使用している。中間胴体部３４の固定には、ボルト４９Ｂを容易に操作するべく、ボルト頭部の高さが高いボルト４９Ｂを使用している。これにより、メンテナンス時に取り外すことになる中間胴体部３４について、その着脱作業を容易に行うことができる。
【００４９】
図７から図９に示すように、連結部４８は、胴体３０の内周面に沿って設けられている。連結部４８は、胴体３０の内周面に沿って回転軸心Ｙ１周りの略環形状に形成された板材によって構成されている。連結部４８は、複数（例えば、二つ）の連結部構成部材５１に胴体３０の周方向に分割されて構成されている。すなわち、連結部４８は、胴体３０の周方向に二分割された半割り構造である。二つの連結部構成部材５１は、同一の部材によって構成されている。
【００５０】
連結部構成部材５１は、略半環形状の板材によって構成されている。連結部構成部材５１のうち胴体３０の周方向における一端部には、他方の連結部構成部材５１が重ね合わされる被重合部５１ａが形成されている。連結部構成部材５１において、被重合部５１ａとその他の部分との境界部は、被重合部５１ａが前記その他の部分よりも胴体３０の径方向の内周側に位置するように、段差形状に形成されている。連結部構成部材５１には、ボルト４９Ａ、４９Ｂ用のボルト孔５１ｂが形成されている。
【００５１】
連結部構成部材５１には、扱歯２９の基部（ボルト２９ａ）やナット２９ｂが入り込む切り欠き部５１ｃが複数（例えば、四つ）形成されている（図６及び図１０参照）。連結部構成部材５１において、二つの切り欠き部５１ｃが回転軸心Ｙ１方向の一方側に開口し、かつ、二つの切り欠き部５１ｃが回転軸心Ｙ１方向の他方側に開口している。一方側に開口する切り欠き部５１ｃと他方側に開口する切り欠き部５１ｃとは、胴体３０の周方向に位置ズレしている。
【００５２】
連結部４８の内周面から胴体３０の径方向の内側に向かって立ち上がるリブ５０が、連結部４８の内周面における回転軸心Ｙ１周りの全周に設けられている。リブ５０の連結部４８の内周面からの高さｈ１は、回転軸心Ｙ１周りの全周に亘って同じ（略同じを含む）である。リブ５０の内周側には、回転軸心Ｙ１を中心とする円形の開口５０ａが存在している。リブ５０のうち被重合部５１ａに対応する箇所には、被重合部５１ａが入り込む凹部５０ｂが形成されている。
【００５３】
連結部４８（連結部構成部材５１）に形成された開口５１ｄに、リブ５０に設けられた突起５０ｃが差し込まれている。開口５１ｄは、連結部４８において、回転軸心Ｙ１周りに間隔をあけて複数（例えば、四つ）形成されている。開口５１ｄは、胴体３０の周方向に長い長孔である。
【００５４】
突起５０ｃは、リブ５０において、回転軸心Ｙ１周りに間隔をあけて複数（例えば、四つ）形成されている。突起５０ｃは、リブ５０のうち連結部４８の内周面に対向する部分（リブ５０の外周部）から胴体３０の径方向の外側に向かって突出している。突起５０ｃは、連結部４８から胴体３０の径方向の外側に向けて突出する状態で回転軸心Ｙ１周りに間隔をあけて設けられている。突起５０ｃは、胴体３０の径方向において、連結部４８の外周面よりも外側に突出し、かつ、胴体３０の外周面よりも外側に突出していない。突起５０ｃは、突起５０ｃのうち径方向の外側の端面が胴体３０の外周面と面一（略面一を含む）となるように突出している。
【００５５】
一方の連結部構成部材５１が他方の連結部構成部材５１側の被重合部５１ａに重ね合わされた状態で、かつ、突起５０ｃが開口５１ｄに嵌め込まれた状態で、連結部４８とリブ５０とが固定（例えば、溶接固定）されている。一方の連結部構成部材５１の外周面と他方の連結部構成部材５１の外周面とは、面一となっている。すなわち、一方の連結部構成部材５１の外周面と他方の連結部構成部材５１の外周面とは、回転軸心Ｙ１を中心とする円（同心円）上に位置している。
【００５６】
前後向き部５５は、前側の連結部４８と後側の連結部４８とに亘って前後方向に延びている。前後向き部５５は、前側の連結部４８の内周面と後側の連結部４８の内周面とに亘って設けられている。前後向き部５５の前端部は、前側の連結部４８の内周面及び前側のリブ５０に固定（例えば、溶接固定）されている。前後向き部５５の後端部は、後側の連結部４８の内周面及び後側のリブ５０に固定（例えば、溶接固定）されている。
【００５７】
前側の連結部４８と後側の連結部４８とが前後向き部５５によって連結されることにより、前側の連結部４８と後側の連結部４８とが一体化されている。すなわち、前側の連結部４８、後側の連結部４８及び前後向き部５５がユニットとして構成（ユニット化）されている。前後向き部５５は、断面形状が略Ｌ字形状の部材によって構成されている。前後向き部５５は、回転軸心Ｙ１周りに等角度間隔で複数配置されている。本実施形態では、前後向き部５５は、回転軸心Ｙ１周りに９０度間隔で四本配置されている。
【００５８】
前後向き部５５の連結部４８の内周面からの高さｈ２は、リブ５０の連結部４８の内周面からの高さｈ１と同じ（略同じを含む）である。本実施形態では、前後向き部５５の連結部４８の内周面からの高さｈ２は、前後向き部５５がリブ５０の内周縁から開口５０ａ側に食み出ない高さ（リブ５０の連結部４８の内周面からの高さｈ１よりも若干低い高さ）に設定されている。
【００５９】
〔連結部位置合わせ部〕
図１１に示すように、回転軸心Ｙ１周りにおける前側の連結部４８に対する前側胴体部３２の位置を合わせると共に、回転軸心Ｙ１方向における前側の連結部４８に対する前側胴体部３２の位置を合わせる前側の連結部位置合わせ部５３Ｆが設けられている。回転軸心Ｙ１周りにおける後側の連結部４８に対する後側胴体部３３の位置を合わせると共に、回転軸心Ｙ１方向における後側の連結部４８に対する後側胴体部３３の位置を合わせる後側の連結部位置合わせ部５３Ｂが設けられている。
【００６０】
前側の連結部位置合わせ部５３Ｆは、前側胴体部３２と前側の連結部４８とに亘って設けられている。前側の連結部位置合わせ部５３Ｆは、複数（例えば、四つ）の突起５０ｃと、複数（例えば、二つ）の入り込み部３２ｂと、を有している。入り込み部３２ｂは、突起５０ｃ同士の間に入り込むものであり、前側胴体部３２の前後端部のうち前側の連結部４８側の端部（後端部）に設けられている。言い換えると、前側胴体部３２の後端部における入り込み部３２ｂ同士の間には、突起５０ｃが入り込む凹部３２ｃが形成されている。回転軸心Ｙ１周りにおける突起５０ｃ同士の間隔ｄ及び入り込み部３２ｂの幅ｂは、入り込み部３２ｂが突起５０ｃ同士の間に嵌合するように設定されている。
【００６１】
後側の連結部位置合わせ部５３Ｂは、後側胴体部３３と後側の連結部４８とに亘って設けられている。後側の連結部位置合わせ部５３Ｂは、複数（例えば、四つ）の突起５０ｃと、複数（例えば、二つ）の入り込み部３３ｂと、を有している。入り込み部３３ｂは、突起５０ｃ同士の間に入り込むものであり、後側胴体部３３の前後端部のうち後側の連結部４８側の端部（前端部）に設けられている。言い換えると、後側胴体部３３の前端部における入り込み部３３ｂ同士の間には、突起５０ｃが入り込む凹部３３ｃが形成されている。回転軸心Ｙ１周りにおける突起５０ｃ同士の間隔ｄ及び入り込み部３３ｂの幅ｂは、入り込み部３３ｂが突起５０ｃ同士の間に嵌合するように設定されている。
【００６２】
〔胴体部間位置合わせ部〕
回転軸心Ｙ１周りにおける後側胴体部３３に対する中間胴体部３４の位置を合わせる胴体部間位置合わせ部５６が設けられている。胴体部間位置合わせ部５６は、後側胴体部３３と中間胴体部３４とに亘って設けられている。胴体部間位置合わせ部５６は、複数（例えば、二つ）の凹部３３ｄと、複数（例えば、二つ）の凸部４６ｂと、を有している。凹部３３ｄは、後側胴体部３３の前端部における入り込み部３３ｂ（具体的には、入り込み部３３ｂの幅中央部）に形成されている。凸部４６ｂは、凹部３３ｄに入り込むものであり、中間胴体部３４の後端部に形成されている。
【００６３】
〔合いマーク〕
後側胴体部３３と後側の連結部４８とに亘って、後側胴体部３３と後側の連結部４８との正しい位置関係を示す合いマークＭが設けられている。合いマークＭは、後側胴体部３３側のマーク（凹部３３ｄ）と、後側の連結部４８側のマーク５１ｅと、を有している。本実施形態では、凹部３３ｄが後側胴体部３３側のマークとして機能する。マーク５１ｅは、後側の連結部４８のうち突起５０ｃ同士の間の部分に設けられている。マーク５１ｅは、後側に向かって開口する凹形状に形成されている。
【００６４】
ここで、合いマークＭ（前側の連結部４８側のマーク５１ｅ及び後側の連結部４８側のマーク５１ｅ）は、連結部材４７を組み立てる際にも利用することができる。具体的には、連結部材４７を組み立てる際に、回転軸心Ｙ１周りにおいて、前側の連結部４８側のマーク５１ｅと後側の連結部４８側のマーク５１ｅとが位置合わせされることにより、前側の連結部４８と後側の連結部４８とが位置合わせされることになる。
【００６５】
〔扱胴の製造方法〕
次に、扱胴１１の製造方法について、図１２から図１５により説明する。図１２から図１５に示すように、扱胴１１の製造方法は、後側胴体部取り付け工程（図１２参照）と、前側胴体部取り付け工程（図１３参照）と、中間胴体部取り付け工程（図１４参照）と、扱歯取り付け工程（図１５参照）と、を備えている。
【００６６】
図１２に示すように、後側胴体部取り付け工程は、後側胴体部３３を後側の連結部４８に取り付ける工程である。上述のように、後側の連結部４８に対する後側胴体部３３の固定は、ボルト４９Ａによって行われる。
【００６７】
後側胴体部取り付け工程において、入り込み部３３ｂが突起５０ｃ同士の間に入り込んで（言い換えると、突起５０ｃが凹部３３ｃに入り込んで）、回転軸心Ｙ１方向において、後側胴体部３３の前端部のうち凹部３３ｃに対応する部分が突起５０ｃに当接することにより、後側の連結部４８が後側胴体部３３の前端開口縁部から後側胴体部３３の内部に入り込むのが規制されることになる。そして、回転軸心Ｙ１周りにおいて、入り込み部３３ｂが突起５０ｃに当接することにより、後側胴体部３３が後側の連結部４８に対して回転軸心Ｙ１周りで回転するのが規制されることになる。
【００６８】
こうして、回転軸心Ｙ１方向における後側の連結部４８に対する後側胴体部３３の位置が合わされ、かつ、回転軸心Ｙ１周りにおける後側の連結部４８に対する後側胴体部３３の位置が合わされることになる。
【００６９】
ここで、後側胴体部取り付け工程において、誤って、後側の連結部４８に前側胴体部３２を取り付けようとした場合でも、前側胴体部３２には、後側の連結部４８側のマーク５１ｅに対応するマークがないため、この時点で誤りに気付くことになる。言い換えると、後側胴体部３３側の凹部３３ｄが後側の連結部４８側のマーク５１ｅに対応することにより、後側胴体部３３に後側の連結部４８を取り付けようとしていること（後側胴体部３３と後側の連結部４８との正しい組み合わせ）が分かることになる。
【００７０】
図１３に示すように、前側胴体部取り付け工程は、前側胴体部３２を前側の連結部４８に取り付ける工程である。上述のように、前側の連結部４８に対する前側胴体部３２の固定は、ボルト４９Ａによって行われる。
【００７１】
前側胴体部取り付け工程において、入り込み部３２ｂが突起５０ｃ同士の間に入り込んで（言い換えると、凹部３２ｃに突起５０ｃが入り込んで）、回転軸心Ｙ１方向において、前側胴体部３２の後端部のうち凹部３２ｃに対応する部分が突起５０ｃに当接することにより、前側の連結部４８が前側胴体部３２の後端開口縁部から前側胴体部３２の内部に入り込むのが規制されることになる。そして、回転軸心Ｙ１周りにおいて、入り込み部３２ｂが突起５０ｃに当接することにより、前側胴体部３２が前側の連結部４８に対して回転軸心Ｙ１周りで回転するのが規制されることになる。
【００７２】
こうして、回転軸心Ｙ１方向における前側の連結部４８に対する前側胴体部３２の位置が合わされ、かつ、回転軸心Ｙ１周りにおける前側の連結部４８に対する前側胴体部３２の位置が合わされることになる。
【００７３】
ここで、前側胴体部３２のロール継ぎ目Ｐ１及び後側胴体部３３のロール継ぎ目Ｐ２は、回転軸心Ｙ１周りにおける前側胴体部３２と後側胴体部３３との位置を合わせる位置合わせ部として機能する。ロール継ぎ目Ｐ１、Ｐ２は、ロール開始位置として理解することができる。前側胴体部３２を前側の連結部４８に取り付ける際に、回転軸心Ｙ１周りにおいて、前側胴体部３２のロール継ぎ目Ｐ１を後側胴体部３３のロール継ぎ目Ｐ２に位置合わせすることにより、回転軸心Ｙ１周りにおける後側胴体部３３に対する前側胴体部３２の位置が合わせされることになる。
【００７４】
図１４に示すように、中間胴体部取り付け工程は、中間胴体部３４（中間胴体部構成部材４６）を前側及び後側の連結部４８に取り付ける工程である。上述のように、前側及び後側の連結部４８に対する中間胴体部３４（中間胴体部構成部材４６）の固定は、ボルト４９Ｂによって行われる。
【００７５】
中間胴体部取り付け工程において、凸部４６ｂを凹部３３ｄに入り込ませることにより、回転軸心Ｙ１周りにおける後側胴体部３３に対する中間胴体部構成部材４６の位置が合わされることになる。そして、中間胴体部構成部材４６の前端部が前側の突起５０ｃや前側胴体部３２の後端部（入り込み部３２ｂ）に当接し、かつ、中間胴体部構成部材４６の後端部が後側の突起５０ｃや後側胴体部３３の前端部（入り込み部３３ｂ）に当接することにより、回転軸心Ｙ１方向における中間胴体部構成部材４６の位置が合わされることになる。
【００７６】
図１５に示すように、扱歯取り付け工程は、前側胴体部３２、後側胴体部３３及び中間胴体部３４に扱歯２９を取り付ける工程である。扱歯取り付け工程では、前側胴体部３２、後側胴体部３３及び中間胴体部３４が、連結部材４７に取り付けられた状態で、扱歯２９が前側胴体部３２、後側胴体部３３及び中間胴体部３４に取り付けられる。
【００７７】
ここで、図１６に示すように、連結部材４７は、前側胴体部３２の孔３２ａ、後側胴体部３３の孔３３ａ及び中間胴体部３４の孔３４ａと重複していない。具体的には、前側の連結部４８は、前側胴体部３２の孔３２ａ及び中間胴体部３４の孔３４ａと重複しておらず、かつ、後側の連結部４８は、後側胴体部３３の孔３３ａ及び中間胴体部３４の孔３４ａと重複しておらず、かつ、前後向き部５５は、中間胴体部３４の孔３４ａと重複していない。これにより、前側胴体部３２、後側胴体部３３及び中間胴体部３４が、連結部材４７に取り付けられた状態で、扱歯２９が連結部材４７と干渉することなく、扱歯２９を胴体３０に取り付けることができる。
【００７８】
〔別実施形態〕
（１）上記実施形態では、扱歯取り付け工程において、前側胴体部３２、後側胴体部３３及び中間胴体部３４に扱歯２９が取り付けられる。しかし、図１７に示すように、中間胴体部取り付け工程において、中間胴体部３４に扱歯２９が取り付けられるようにしてもよい。
【００７９】
（２）上記実施形態では、前側の連結部位置合わせ部５３Ｆは、入り込み部３２ｂが突起５０ｃ同士の間に入り込むことにより、回転軸心Ｙ１方向における前側の連結部４８に対する前側胴体部３２の位置が合わされ、かつ、回転軸心Ｙ１周りにおける前側の連結部４８に対する前側胴体部３２の位置が合わされるように構成されている。同様に、後側の連結部位置合わせ部５３Ｂは、入り込み部３３ｂが突起５０ｃ同士の間に入り込むことにより、回転軸心Ｙ１方向における後側の連結部４８に対する後側胴体部３３の位置が合わされ、かつ、回転軸心Ｙ１周りにおける後側の連結部４８に対する後側胴体部３３の位置が合わされるように構成されている。
【００８０】
しかし、図１８に示すように、入り込み部３２ｂを設けずに、回転軸心Ｙ１方向において、前側胴体部３２の後端部が突起５０ｃに当接することにより、回転軸心Ｙ１方向における前側の連結部４８に対する前側胴体部３２の位置が合わされるようにしてもよい。同様に、入り込み部３３ｂを設けずに、回転軸心Ｙ１方向において、後側胴体部３３の前端部が突起５０ｃに当接することにより、回転軸心Ｙ１方向における後側の連結部４８に対する後側胴体部３３の位置が合わされるようにしてもよい。
【００８１】
あるいは、図１９に示すように、前側胴体部３２の内部に、複数の突起３２ｄが回転軸心Ｙ１周りに間隔をあけて設けられ、前側の連結部４８に、突起３２ｄ同士の間に入り込む入り込み部４８ａが設けられ、入り込み部４８ａが突起３２ｄ同士の間に入り込むことにより、回転軸心Ｙ１方向における前側の連結部４８に対する前側胴体部３２の位置が合わされ、かつ、回転軸心Ｙ１周りにおける前側の連結部４８に対する前側胴体部３２の位置が合わされるようにしてもよい。同様に、後側胴体部３３の内部に、複数の突起３３ｅが回転軸心Ｙ１周りに間隔をあけて設けられ、後側の連結部４８に、突起３３ｅ同士の間に入り込む入り込み部４８ａが設けられ、入り込み部４８ａが突起３３ｅ同士の間に入り込むことにより、回転軸心Ｙ１方向における後側の連結部４８に対する後側胴体部３３の位置が合わされ、かつ、回転軸心Ｙ１周りにおける後側の連結部４８に対する後側胴体部３３の位置が合わされるようにしてもよい。
【００８２】
（３）上記実施形態では、胴体部間位置合わせ部５６は、後側胴体部３３側の凹部３３ｄと、凹部３３ｄに入り込むものであり、中間胴体部３４側の凸部４６ｂと、を有している。しかし、胴体部間位置合わせ部５６は、中間胴体部３４側の凹部と、当該凹部に入り込むものであり、後側胴体部３３側の凸部と、を有するものであってもよい。
【００８３】
（４）上記実施形態では、胴体部間位置合わせ部５６が後側胴体部３３と中間胴体部３４とに亘って設けられている。しかし、これに代えてあるいはこれと共に、回転軸心Ｙ１周りにおける前側胴体部３２に対する中間胴体部３４の位置を合わせる胴体部間位置合わせ部が、前側胴体部３２と中間胴体部３４とに亘って設けられていてもよい。
【００８４】
（５）上記実施形態では、後側胴体部３３側のマーク（凹部３３ｄ）が後側胴体部３３のうち入り込み部３３ｂに設けられ、かつ、後側の連結部４８側のマーク５１ｅが後側の連結部４８のうち突起５０ｃ同士の間の部分に設けられている。しかし、後側胴体部３３側のマーク（凹部３３ｄ）を設ける箇所は、後側胴体部３３のうち上記実施形態に係る箇所に限定されるものではなく、かつ、後側の連結部４８側のマーク５１ｅを設ける箇所は、後側の連結部４８のうち上記実施形態に係る箇所に限定されるものではない。
【００８５】
（６）上記実施形態では、突起５０ｃは、突起５０ｃのうち径方向の外側の端面が胴体３０の外周面と面一となるように突出している。しかし、突起５０ｃは、突起５０ｃのうち径方向の外側の端面が胴体３０の外周面よりも径方向の内側に位置するように突出していてもよい。
【００８６】
（７）上記実施形態では、リブ５０が連結部４８の内周面における回転軸心Ｙ１周りの全周に設けられている。しかし、リブ５０が連結部４８の内周面における回転軸心Ｙ１周りの一部（例えば、部分的に複数）に設けられていてもよい。
【００８７】
（８）上記実施形態では、リブ５０の連結部４８の内周面からの高さｈ１が回転軸心Ｙ１周りの全周に亘って同じである。しかし、リブ５０の連結部４８の内周面からの高さｈ１が回転軸心Ｙ１周りで異なっていてもよい。
【００８８】
（９）上記実施形態では、前後向き部５５の連結部４８の内周面からの高さｈ２は、前後向き部５５がリブ５０の内周縁から開口５０ａ側に食み出ない高さ（リブ５０の連結部４８の内周面からの高さｈ１よりも若干低い高さ）に設定されている。しかし、前後向き部５５の連結部４８の内周面からの高さｈ２は、前後向き部５５がリブ５０の内周縁から開口５０ａ側に食み出る高さ（リブ５０の連結部４８の内周面からの高さｈ１よりも若干高い高さ）に設定されていてもよい。
【００８９】
（１０）上記実施形態では、胴体３０が前後に三分割されている。しかし、胴体３０が前後に四分割以上されていてもよい。あるいは、胴体３０が前後に二分割されていてもよい。
【００９０】
（１１）上記実施形態では、中間胴体部３４が胴体３０の周方向に二分割されている。しかし、中間胴体部３４が胴体３０の周方向に三分割以上されていてもよい。
【産業上の利用可能性】
【００９１】
本発明は、自脱型コンバインの他、普通型コンバインにも利用可能である。
【符号の説明】
【００９２】
１０  脱穀装置
１１  扱胴
２８  扱胴軸
２９  扱歯
３０  胴体
３２  前側胴体部（胴体部）
３２ｂ  入り込み部
３３  後側胴体部（胴体部）
３３ｂ  入り込み部
３３ｄ  凹部、後側胴体部側のマーク
３４  中間胴体部（胴体部）
４６ｂ  凸部
４８  連結部（連結部材）
５０ｃ  突起
５１ｅ  後側の連結部側のマーク
５３Ｂ  後側の連結部位置合わせ部（位置合わせ部、連結部材位置合わせ部）
５３Ｆ  前側の連結部位置合わせ部（位置合わせ部、連結部材位置合わせ部）
５６  胴体部間位置合わせ部（位置合わせ部、胴体部間位置合わせ部）
ｂ  幅
ｄ  間隔
Ｍ  合いマーク
Ｐ１  ロール継ぎ目
Ｐ２  ロール継ぎ目
Ｙ１  回転軸心
【図１】
2019097398.tif 000003
【図２】
2019097398.tif 000004
【図３】
2019097398.tif 000005
【図４】
2019097398.tif 000006
【図５】
2019097398.tif 000007
【図６】
2019097398.tif 000008
【図７】
2019097398.tif 000009
【図８】
2019097398.tif 000010
【図９】
2019097398.tif 000011
【図１０】
2019097398.tif 000012
【図１１】
2019097398.tif 000013
【図１２】
2019097398.tif 000014
【図１３】
2019097398.tif 000015
【図１４】
2019097398.tif 000016
【図１５】
2019097398.tif 000017
【図１６】
2019097398.tif 000018
【図１７】
2019097398.tif 000019
【図１８】
2019097398.tif 000020
【図１９】
2019097398.tif 000021